(57)【要約】【課題】設置する際や、所望の画像サイズの投写画像を得る際の利便性の向上を図ったプロジェクターを提供する。【解決手段】プロジェクター１は、投写面に投写された投写画像のズーム状態を変更するズーム調整部４と、投写画像のフォーカス状態を変更するフォーカス調整部５と、投写画像のサイズを目安として表示するための外面６１Ａを有し、移動操作されるサイズリング６１と、投写面とプロジェクター１との距離を目安として表示するための外面６２Ａを有し、移動操作される距離リング６２と、サイズリング６１および距離リング６２の少なくともいずれか一方の移動操作の操作力を、ズーム調整部４およびフォーカス調整部５の少なくともいずれか一方に伝達可能な伝達機構７と、を備えている。【選択図】図４
2011209402.tif 000002
【特許請求の範囲】
【請求項１】
光源から射出された光束を画像情報に応じて変調して投写面に投写するプロジェクターであって、
前記投写面に投写された投写画像のズーム状態を変更するズーム調整部と、
前記投写画像のフォーカス状態を変更するフォーカス調整部と、
前記投写画像のサイズを目安として表示するためのサイズ表示部を有し、移動操作されるサイズ操作部と、
前記投写面と当該プロジェクターとの距離を目安として表示するための距離表示部を有し、移動操作される距離操作部と、
前記サイズ操作部および前記距離操作部の少なくともいずれか一方の前記移動操作の操作力を、前記ズーム調整部および前記フォーカス調整部の少なくともいずれか一方に伝達可能な伝達機構と、
を備えていることを特徴とするプロジェクター。
【請求項２】
請求項１に記載のプロジェクターであって、
前記伝達機構は、
前記サイズ操作部、前記ズーム調整部それぞれに対して係合する係合状態と係合しない非係合状態とが切替え可能な第１伝達部と、
前記第１伝達部に接続して形成され、前記距離操作部、前記フォーカス調整部それぞれに対する係合状態と非係合状態とが切替え可能な第２伝達部と、
を備えていることを特徴とするプロジェクター。
【請求項３】
請求項１または請求項２に記載のプロジェクターであって、
前記伝達機構は、前記サイズ操作部および前記距離操作部と係合状態となり、前記ズーム調整部および前記フォーカス調整部と非係合状態となる第１状態を有していることを特徴とするプロジェクター。
【請求項４】
請求項１〜請求項３のいずれか一項に記載のプロジェクターであって、
前記伝達機構は、前記距離操作部の移動を規制可能な距離規制部を備え、前記サイズ操作部および前記ズーム調整部と係合状態となり、前記距離操作部および前記フォーカス調整部と非係合状態となり、前記距離規制部が前記距離操作部の移動を規制する第２状態を有していることを特徴とするプロジェクター。
【請求項５】
請求項１〜請求項４のいずれか一項に記載のプロジェクターであって、
前記伝達機構は、前記サイズ操作部の移動を規制可能なサイズ規制部を備え、前記ズーム調整部、前記距離操作部および前記フォーカス調整部と係合状態となり、前記サイズ操作部と非係合状態となり、前記サイズ規制部が前記サイズ操作部の移動を規制する第３状態を有していることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調して投写するプロジェクターが知られている。プロジェクターには、投写レンズが備えられており、この投写レンズがズーム調整されることによって、スクリーン等の投写面に投写される投写画像は、サイズが変倍される。また、投写画像のサイズ（以下、「画像サイズ」という）をスクリーンのサイズに一致させるべくズーム調整を行なう技術が提案されている（例えば、特許文献１参照）。
特許文献１に記載のプロジェクターは、カメラによってスクリーンを検出し、自動的にズーム調整を行なうように構成されている。
【先行技術文献】
【特許文献】
【０００３】
【特許文献１】特開２００６−１２１２４０号公報
【発明の概要】
【発明が解決しようとする課題】
【０００４】
しかしながら、特許文献１に記載のプロジェクターであっても、投写画像を鑑賞する人数や鑑賞者からスクリーンまでの距離等の環境に応じて画像サイズやプロジェクターの設置位置を変更したい場合には、その変更作業が煩雑になるという課題がある。すなわち、特許文献１のプロジェクターにおいて、所望の画像サイズに変更したり、投写された光が人に遮られないようにプロジェクターを設置したりする際には、投写画像を観察しながらプロジェクターを移動させたり、ズーム調整を行なったりすることが必要となり、利便性が損なわれてしまうという課題がある。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光束を画像情報に応じて変調して投写面に投写するプロジェクターであって、前記投写面に投写された投写画像のズーム状態を変更するズーム調整部と、前記投写画像のフォーカス状態を変更するフォーカス調整部と、前記投写画像のサイズを目安として表示するためのサイズ表示部を有し、移動操作されるサイズ操作部と、前記投写面と当該プロジェクターとの距離を目安として表示するための距離表示部を有し、移動操作される距離操作部と、前記サイズ操作部および前記距離操作部の少なくともいずれか一方の前記移動操作の操作力を、前記ズーム調整部および前記フォーカス調整部の少なくともいずれか一方に伝達可能な伝達機構と、を備えていることを特徴とする。
【０００７】
この構成によれば、サイズ操作部は、投写画像のサイズ（画像サイズ）を目安として表示するためのサイズ表示部を有し、距離操作部は、投写面とプロジェクターとの距離（以下「設置距離」という）を目安として表示するための距離表示部を有している。これによって、設置距離およびその設置距離に対応する画像サイズの表示を対応させて表示できるので、プロジェクターが投写していない場合であっても、設置距離に対応する画像サイズをプロジェクターの使用者に明示することが可能となる。
また、サイズ操作部および距離操作部は、少なくともいずれか一方の操作力が伝達機構によってズーム調整部およびフォーカス調整部の少なくともいずれか一方に伝達可能になっている。これによって、画像サイズおよび設置距離を表示させる移動操作で、ズーム調整部を所望のズーム状態にしたり、フォーカス調整部を所望のフォーカス状態に変更したりすることが可能となる。
したがって、プロジェクターを設置する際や、所望の画像サイズの投写画像を得る際の利便性の向上が図れる。
【０００８】
［適用例２］上記適用例に係るプロジェクターにおいて、前記伝達機構は、前記サイズ操作部、前記ズーム調整部それぞれに対して係合する係合状態と係合しない非係合状態とが切替え可能な第１伝達部と、前記第１伝達部に接続して形成され、前記距離操作部、前記フォーカス調整部それぞれに対する係合状態と非係合状態とが切替え可能な第２伝達部と、を備えていることが好ましい。
【０００９】
この構成によれば、伝達機構は、第１伝達部および第２伝達部を備え、サイズ操作部、ズーム調整部、距離操作部およびフォーカス調整部に対して係合状態と非係合状態とが切替え可能になっている。また、第１伝達部および第２伝達部は、接続して形成されている。これによって、サイズ操作部や距離操作部の移動操作の操作力をズーム調整部やフォーカス調整部に伝達する状態と伝達しない状態とに切替えることが可能になると共に、一度にこれらの係合状態、非係合状態を切替えることができる。よって、プロジェクターを設置する位置や画像サイズを変更する際の操作性の向上が図れる。
【００１０】
［適用例３］上記適用例に係るプロジェクターにおいて、前記伝達機構は、前記サイズ操作部および前記距離操作部と係合状態となり、前記ズーム調整部および前記フォーカス調整部と非係合状態となる第１状態を有していることが好ましい。
【００１１】
この構成によれば、第１状態において、伝達機構がサイズ操作部および距離操作部と係合状態となっているので、サイズ操作部および距離操作部は、伝達機構によって連結されることとなり、サイズ操作部と距離操作部とを一体的に操作することができる。つまり、サイズ操作部および距離操作部は、画像サイズの表示および設置距離の表示が対応した状態が維持されて操作されることとなる。一方、伝達機構は、第１状態において、ズーム調整部およびフォーカス調整部と非係合状態となっているので、サイズ操作部あるいは距離操作部が操作されても、ズーム状態およびフォーカス状態は、維持される。
【００１２】
これによって、サイズ表示部に所望の画像サイズを表示させ、その画像サイズに対応する設置距離にプロジェクターを設置することで所望の画像サイズの投写が可能となる。また、距離表示部に表示させた所望の設置距離にプロジェクターを設置することで、表示された設置距離に対応する画像サイズの投写が可能となる。よって、所望の画像サイズの投写画像を得るためのプロジェクターの設置位置や、プロジェクターの設置位置における画像サイズが容易に明確になるので、プロジェクターを設置する際や画像サイズを変更する際の利便性の向上が図れる。
【００１３】
［適用例４］上記適用例に係るプロジェクターにおいて、前記伝達機構は、前記距離操作部の移動を規制可能な距離規制部を備え、前記サイズ操作部および前記ズーム調整部と係合状態となり、前記距離操作部および前記フォーカス調整部と非係合状態となり、前記距離規制部が前記距離操作部の移動を規制する第２状態を有していることが好ましい。
【００１４】
この構成によれば、伝達機構は、第２状態において、サイズ操作部およびズーム調整部と係合状態となっているので、サイズ操作部が操作されると、ズーム調整部に操作力が伝達され、ズーム状態が変更されることとなる。一方、伝達機構は、第２状態において、距離操作部およびフォーカス調整部と非係合状態となっており、距離規制部が距離操作部の移動を規制しているので、距離操作部は、規制される前の設置距離の表示が維持され、フォーカス調整部は、フォーカス状態が維持されることとなる。これによって、距離表示部に表示された設置距離の位置にプロジェクターを設置し、サイズ操作部を操作することで、所望の画像サイズの投写が可能となる。
【００１５】
［適用例５］上記適用例に係るプロジェクターにおいて、前記伝達機構は、前記サイズ操作部の移動を規制可能なサイズ規制部を備え、前記ズーム調整部、前記距離操作部および前記フォーカス調整部と係合状態となり、前記サイズ操作部と非係合状態となり、前記サイズ規制部が前記サイズ操作部の移動を規制する第３状態を有していることが好ましい。
【００１６】
この構成によれば、伝達機構は、第３状態において、サイズ操作部と非係合状態となり、サイズ規制部がサイズ操作部の移動を規制するので、サイズ操作部は、規制される前の画像サイズの表示が維持されることとなる。一方、伝達機構は、第３状態において、ズーム調整部、距離操作部およびフォーカス調整部と係合状態となっているので、距離操作部が操作されると、ズーム状態およびフォーカス状態が変更されることとなる。これによって、サイズ表示部に表示された画像サイズに対応する設置距離が明確になる。また、画像サイズを変えずにプロジェクターの位置を変更したい際には、距離操作部を操作し、距離表示部を観察することでプロジェクターの設置位置の目安が容易に可能となる。また、距離操作部が操作されると、フォーカス状態も変更されるので、プロジェクターの移動に伴うフォーカス調整が可能となり、利便性の向上が図れる。
【図面の簡単な説明】
【００１７】
【図１】本実施形態のプロジェクターの外観を示す斜視図。
【図２】本実施形態の開口部近傍のプロジェクターを模式的に示す平面図。
【図３】本実施形態の光学ユニットの概略構成を示す模式図。
【図４】本実施形態の投写レンズおよび設置補助装置を模式的に示す断面図。
【図５】本実施形態のプロジェクターがスクリーンに投写する状態を示す模式図。
【図６】本実施形態の第２状態におけるプロジェクターの模式図。
【図７】本実施形態の第３状態におけるプロジェクターの模式図。
【発明を実施するための形態】
【００１８】
以下、本実施形態に係るプロジェクターについて、図面を参照して説明する。
本実施形態のプロジェクターは、光源から射出された光束を画像情報に応じて変調してスクリーン等の投写面に拡大投写する。
【００１９】
図１は、本実施形態のプロジェクターの外観を示す斜視図である。
図１に示すように、プロジェクター１は、本体が外装筐体２で囲まれた構成になっている。そして、外装筐体２内には、光源装置３１を有する光学ユニット３（図３参照）、設置補助装置６および図示しない制御部、電源装置、冷却ファン等を備えている。なお、以下では、説明の便宜上、光源装置３１から光束が射出される方向を＋Ｘ方向、プロジェクターから投写される方向を＋Ｙ方向（前方向）、Ｘ方向およびＹ方向に直交し、図１の図面視における上を＋Ｚ方向（上方向）として記載する。
【００２０】
外装筐体２は、合成樹脂製であり、上部を構成するアッパーケース２１、および下部を構成するロアーケース２２等を備えており、これらは、互いにネジ等により固定されている。
アッパーケース２１の前面２１Ａには、前方から見て略円形状の開口部（投写用開口部２１１）が形成されており、この投写用開口部２１１の内側の外装筐体２内には、光学ユニット３に備えられた投写レンズ３６が配置されている。そして、光は、この投写用開口部２１１から前方に投写される。
【００２１】
アッパーケース２１の上面２１Ｂには、投写用開口部２１１に近接して前方から順に３つの開口部２１２，２１３，２１４が形成されている。
図２は、開口部２１２，２１３，２１４近傍のプロジェクター１を模式的に示す平面図であり、上方から見た図である。
開口部２１２は、図２に示すように、上方から見て±Ｘ方向が長手方向となる矩形状に形成されており、この開口部２１２から後述する設置補助装置６の距離リング６２の一部が露出している。
【００２２】
開口部２１３は、開口部２１２の後方に、開口部２１２と同形状に形成されており、この開口部２１３から設置補助装置６のサイズリング６１の一部が露出している。
開口部２１４は、開口部２１３の後方に、上方から見て±Ｙ方向が長手方向となる矩形状に形成されており、この開口部２１４から設置補助装置６の操作レバー７１の一部が露出している。
【００２３】
また、アッパーケース２１の上面２１Ｂには、開口部２１２，２１３のそれぞれ前側の縁部に、逆三角形状の距離選択マーク２１６、サイズ選択マーク２１５が標記され、開口部２１４の＋Ｘ側縁部には、状態選択マーク２１７としての３本の目盛が印刷等によって標記されている。
【００２４】
図１に戻って、アッパーケース２１の上面２１Ｂには、開口部２１４の後方に操作パネル２０が配置されている。操作パネル２０は、プロジェクター１の各種設定を行うためのメニュー画像の表示／非表示を切り替えるメニューキー、入力ソースを切り替えるソース切替えキー等、各種指示を行うための複数のキー等を備えている。
【００２５】
また、図示は省略するが、外装筐体２には、外気を取り込むための吸気口、外装筐体２内の温まった空気を外部に排出するための排気口、および光源装置３１の交換用の開口部等が設けられている。
【００２６】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２７】
光学ユニット３は、制御部による制御の下、光源装置３１から射出された光束を光学的に処理して投写する。
図３は、光学ユニット３の概略構成を示す模式図である。
光学ユニット３は、図３に示すように、光源装置３１に加え、照明光学装置３２、色分離光学装置３３、リレー光学装置３４、電気光学装置３５、投写レンズ３６、およびこれらの光学部品を光路上の所定位置に配置する光学部品用筐体３７を備える。
【００２８】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、照明光学装置３２に向けて射出する。
【００２９】
照明光学装置３２は、第１レンズアレイ３２１、第２レンズアレイ３２２、偏光変換素子３２３、および重畳レンズ３２４を備える。
第１レンズアレイ３２１は、マトリクス状に配列された複数の小レンズを有して構成されており、光源装置３１から射出された光束を複数の光束に分割する。第２レンズアレイ３２２は、第１レンズアレイ３２１と略同様の構成を有しており、重畳レンズ３２４とともに、光束を後述する液晶ライトバルブ３５１の表面に略重畳させる。
偏光変換素子３２３は、第２レンズアレイ３２２から射出されたランダム偏光光を液晶ライトバルブ３５１で利用可能な略１種類の偏光光に揃える機能を有する。
【００３０】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００３１】
リレー光学装置３４は、入射側レンズ３４１、リレーレンズ３４３、および反射ミラー３４２，３４４を備え、色分離光学装置３３で分離されたＲ光をＲ光用の液晶ライトバルブ３５１Ｒまで導く機能を有する。なお、光学ユニット３は、リレー光学装置３４がＲ光を導く構成としているが、これに限らず、例えば、Ｂ光を導く構成としてもよい。
【００３２】
電気光学装置３５は、光変調装置としての液晶ライトバルブ３５１および色合成光学装置としてクロスダイクロイックプリズム３５２を備え、色分離光学装置３３で分離された各色光を画像情報に応じて変調する。
【００３３】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネルとその両面に配置された入射側偏光板、射出側偏光板を有している。
【００３４】
液晶ライトバルブ３５１は、図示しない微小画素がマトリクス状に形成された矩形状の画素領域を有し、各画素を表示画像信号に応じた光透過率に設定して、画素領域内に表示画像を形成する。そして、色分離光学装置３３で分離された各色光は、液晶ライトバルブ３５１にて変調された後、クロスダイクロイックプリズム３５２に射出される。
【００３５】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。
【００３６】
投写レンズ３６は、複数のレンズを組み合わせた組レンズとして構成され、クロスダイクロイックプリズム３５２にて合成された光をスクリーン上に拡大投写する。投写レンズ３６は、スクリーンに投写された投写画像のズーム状態を変更する機能、および投写画像のフォーカス状態を変更する機能を有している。投写レンズ３６については、後で詳細に説明する。
【００３７】
設置補助装置６は、プロジェクター１を設置する際の画像サイズや、その画像サイズとなるプロジェクター１の位置、つまり投写面とプロジェクターとの距離（設置距離）の目安となる表示が可能になっている。また、設置補助装置６は、投写レンズ３６と連結可能に構成されており、前述したサイズリング６１や距離リング６２が操作されることで、投写レンズ３６のズーム状態やフォーカス状態を変更可能になっている。設置補助装置６については、後で詳細に説明する。
【００３８】
ここで、投写レンズ３６および設置補助装置６について詳細に説明する。
先ず、投写レンズ３６について説明する。
図４は、投写レンズ３６および設置補助装置６を模式的に示す断面図であり、＋Ｘ方向から見た図である。
【００３９】
投写レンズ３６は、投写画像のズーム状態を変更するズーム調整部４、および投写画像のフォーカス状態を変更するフォーカス調整部５を備えている。
ズーム調整部４は、ズーム調整用の複数のレンズ群、案内筒（いずれも図示省略）、および図４に示すように、カム筒４１、ズームリング４２を備えている。
【００４０】
案内筒は、大きな径の大円筒部と、小さな径の小円筒部とが互いの端部で結合された形状を有し、大円筒部が前側となるように構成されている。案内筒には、大円筒部と小円筒部とで形成される段差部から後方に向けて光軸Ｃに沿って切り欠かれた直進溝が形成されている。また、大円筒部の外周面には、ネジ溝が形成されている。
【００４１】
カム筒４１は、円筒状に形成されており、内側に案内筒の小円筒部が嵌挿され、案内筒に対して光軸Ｃを中心として回転可能になっている。カム筒４１の内面には、複数のレンズ群の移動動作を規定するカム溝（図示省略）が形成されている。
【００４２】
ズームリング４２は、筒状に形成されており、図４に示すように、開口部２１３の下方に配置される。ズームリング４２は、内側にカム筒４１が嵌挿されて図示しないネジ等によってカム筒４１に固定される。
【００４３】
ズームリング４２の後側上部の外面には、円周方向に沿って突出する係合部４２１が形成されている。係合部４２１は、後述するサイズ用歯車７２と係合可能な歯形を有している。ズームリング４２の前側の角部には、上部が円周方向に沿って窪む凹部４２２が形成されており、この凹部４２２には、円周方向に沿って突出する係合部４２３が設けられている。係合部４２３は、係合部４２１に対して所定の寸法を有して離間しており、後述する中間歯車７６と係合可能な歯形を有している。
【００４４】
ズーム調整用の複数のレンズ群は、カムピンを有するレンズ枠にそれぞれ保持され、カムピンが案内筒の直進溝およびカム筒４１のカム溝に係合されて案内筒に収納されている。
各レンズ群は、ズームリング４２が回転されることによって、カム筒４１が回転し、カムピンが直進溝とカム溝との交点に誘導されることで光軸Ｃに沿って移動する。つまり、ズーム調整部４は、ズームリング４２が回転されることによって、ズーム調整用のレンズ群が移動して投写画像のズーム状態を変更する。
【００４５】
フォーカス調整部５は、フォーカス調整用のレンズ、前側筒（いずれも図示省略）、および図４に示すように、フォーカスリング５１を備えている。
前側筒は、円筒状に形成され、フォーカス調整用のレンズが固定配置されている。前側筒は、内周面にネジ溝が形成されており、案内筒のネジ溝に螺合されて案内筒に取り付けられている。
【００４６】
フォーカスリング５１は、筒状に形成されており、図４に示すように、開口部２１２の下方に配置される。フォーカスリング５１の前側上部の外面には、円周方向に沿って突出する係合部５１１が形成されている。係合部５１１は、後述する距離用歯車７３と係合可能な歯形を有している。フォーカスリング５１は、内側に前側筒が嵌挿されて図示しないネジ等によって前側筒に固定される。
【００４７】
前側筒は、フォーカスリング５１が回転されることによって、フォーカスリング５１と共に回転し、案内筒との螺合状態が変更されて案内筒に対して進退する。そして、前側筒に固定されているフォーカス調整用のレンズは、光軸Ｃに沿って移動する。つまり、フォーカス調整部５は、フォーカスリング５１が回転されることによって、フォーカス調整用のレンズが移動して投写画像のフォーカス状態を変更する。なお、以下では、説明の便宜上、前方から見て時計回りの回転を「右回転」、反時計回りの回転を「左回転」として記載する。
【００４８】
次に、設置補助装置６について説明する。
設置補助装置６は、図４に示すように、サイズリング６１、距離リング６２に加え、伝達機構７を備えている。また、サイズリング６１は、サイズ操作部に相当し、距離リング６２は、距離操作部に相当する。
【００４９】
サイズリング６１は、前方から見て略均一の板厚を有して円弧状に形成されており、ズームリング４２から離間し、前述したように、一部が開口部２１３から露出している。そして、サイズリング６１は、図示しない支持部材に支持され、露出している部位が±Ｘ方向に移動操作されることによって、光軸Ｃを中心に回転可能に構成されている。
【００５０】
サイズリング６１の外面６１Ａには、図２に示すように、「７０」「８０」「９０」等の画像サイズをインチ単位で表す複数の数字（サイズ標記）、およびそれぞれのサイズ標記に対応する目盛が円周方向に沿って標記されている。外面６１Ａは、画像サイズを目安として表示するためのサイズ表示部に相当する。
【００５１】
サイズ標記は、サイズリング６１の回転に伴って移動し、前述したサイズ選択マーク２１５に対応するサイズ標記が選択されたサイズ標記となる。例えば、図２に示すように、「８０」がサイズ選択マーク２１５に対応する状態では、サイズリング６１は、８０インチの画像サイズの標記が選択された状態を示すこととなる。
【００５２】
また、サイズリング６１の内面６１Ｂには、図４に示すように、係合部６１１，６１２が設けられている。
係合部６１１は、ズームリング４２の係合部４２１に対向し、円周方向に沿って突出しており、サイズ用歯車７２と係合可能な歯形を有している。係合部６１２は、ズームリング４２の係合部４２１と係合部４２３との間の上方に位置し、円周方向に沿って突出しており、サイズ用歯車７２と係合可能な歯形を有している。
【００５３】
距離リング６２は、前方から見て略均一の板厚を有して円弧状に形成されており、フォーカスリング５１から離間し、前述したように、一部が開口部２１２から露出している。そして、距離リング６２は、サイズリング６１と同様に、図示しない支持部材に支持され、露出している部位が±Ｘ方向に移動操作されることによって、光軸Ｃを中心に回転可能に構成されている。
【００５４】
距離リング６２の外面６２Ａには、図２に示すように、「２」「３」「４」等の設置距離をメートル（ｍ）単位で表す複数の数字（距離標記）、およびそれぞれの距離標記に対応する目盛が円周方向に沿って標記されている。外面６２Ａは、設置距離を目安として表示するための距離表示部に相当する。
【００５５】
距離標記は、サイズ標記と同様に、距離リング６２の回転に伴って移動し、前述した距離選択マーク２１６に対応する距離標記が選択された距離標記となる。例えば、図２に示すように、「３」が距離選択マーク２１６に対応する状態では、距離リング６２は、３ｍの設置距離が選択された状態を示すこととなる。
【００５６】
また、距離リング６２の内面６２Ｂには、図４に示すように、係合部６２１，６２２が設けられている。
係合部６２１は、フォーカスリング５１の係合部５１１に対向し、円周方向に沿って突出しており、距離用歯車７３と係合可能な歯形を有している。係合部６２２は、係合部６２１の後方に円周方向に沿って突出しており、距離用歯車７３と係合可能な歯形を有している。
【００５７】
次に、伝達機構７について説明する。
伝達機構７は、図４に示すように、サイズリング６１および距離リング６２と、投写レンズ３６との間に配置され、サイズリング６１および距離リング６２の移動操作をズームリング４２やフォーカスリング５１に伝達可能に構成されている。
【００５８】
伝達機構７は、操作レバー７１に加え、伝達本体部７０、距離規制部７４、サイズ規制部７５および中間歯車７６を備えている。
操作レバー７１は、図４に示すように、前後方向に延出する軸状の形状を有し、後側には、上方に屈曲された操作部７１１が形成されている。操作レバー７１は、この操作部７１１が開口部２１４から露出し、図示しない部材に支持されて前後方向に移動可能に構成されている。
【００５９】
そして、操作レバー７１は、図２、図４に示すように、操作部７１１が開口部２１４の略中央部に位置する第１状態、開口部２１４の後側に位置する第２状態（図６参照）、および開口部２１４の前側に位置する第３状態（図７参照）が切替え可能になっている。操作レバー７１の３つの状態における位置は、前述した３つの状態選択マーク２１７とそれぞれ対応するようになっている。
【００６０】
伝達本体部７０は、図４に示すように、第１伝達部としてのサイズ用歯車７２、第２伝達部としての距離用歯車７３を備え、操作レバー７１を回転軸として回転可能に構成され、前後方向においては、操作レバー７１と共に移動可能になっている。
サイズ用歯車７２は、サイズリング６１とズームリング４２との間に配置され、操作レバー７１が移動されることによって、サイズリング６１の係合部６１１，６１２、ズームリング４２の係合部４２１および後述する中間歯車７６と係合可能になっている。
【００６１】
距離用歯車７３は、筒状の部位を介してサイズ用歯車７２に接続されており、距離リング６２とフォーカスリング５１との間に配置される。そして、距離用歯車７３は、操作レバー７１が移動されることによって、距離リング６２の係合部６２１，６２２、およびフォーカスリング５１の係合部５１１と係合可能になっている。
【００６２】
距離規制部７４は、距離リング６２の移動を規制可能に形成されており、図４に示すように、操作レバー７１の前側先端に上方に突出するように設けられている。距離規制部７４は、操作レバー７１が後方に移動された際、つまり第２状態において、係合部６２１と係合して距離リング６２の移動を規制する。
【００６３】
サイズ規制部７５は、サイズリング６１の移動を規制可能に形成されており、操作部７１１近傍に設けられ、上方に突出している。サイズ規制部７５は、操作レバー７１が前方に移動された際、つまり第３状態において、係合部６１１と係合してサイズリング６１の移動を規制する。
【００６４】
中間歯車７６は、サイズリング６１の移動操作に対して、操作レバー７１の状態によってズームリング４２を異なる方向に回転させるために設けられている。中間歯車７６は、図示しない軸部に回転可能に支持され、ズームリング４２の係合部４２３と係合して配置されている。そして、中間歯車７６は、操作レバー７１の移動によってサイズ用歯車７２と係合可能になっている。
【００６５】
ここで設置補助装置６の動作について説明する。
設置補助装置６は、操作レバー７１が前述した第１状態、第２状態、および第３状態に切替えられることによって、各係合部の係合状態が変更される。
【００６６】
先ず、第１状態について説明する。
設置補助装置６は、第１状態において、所望の画像サイズを得るための設置距離の明示や、所望の設置距離を得るための画像サイズの明示が可能になっている。
伝達機構７は、第１状態において、サイズリング６１および距離リング６２と係合する係合状態となり、ズームリング４２およびフォーカスリング５１と係合しない非係合状態となる。具体的に、伝達機構７は、図４に示すように、第１状態において、サイズ用歯車７２、距離用歯車７３がそれぞれ係合部６１２，６２２に係合し、係合部４２１、中間歯車７６および係合部５１１と係合しない状態となる。
【００６７】
サイズリング６１および距離リング６２は、第１状態において、伝達本体部７０によって連結されることとなり、サイズ標記と距離標記とが対応した状態が維持されて操作されることとなる。つまり、サイズリング６１および距離リング６２は、いずれか一方が回転されると他方も追従して回転する。そして、このサイズ標記と距離標記とは、投写レンズ３６が有するズーム倍率に対応するように設定されている。例えば、図２に示すように、サイズ標記が「８０」に選択されると、距離標記は、「３」が対応し、この状態から、サイズリング６１または距離リング６２が右回転され、サイズ標記が「９０」に選択されると、距離標記は、「４」が対応する。
【００６８】
一方、伝達機構７は、第１状態において、ズームリング４２およびフォーカスリング５１と非係合状態となっているので、サイズリング６１あるいは距離リング６２が操作されても、ズーム状態およびフォーカス状態は、変更されない。
【００６９】
図５は、プロジェクター１がスクリーンＳＣに投写する状態を示す模式図である。
第１状態において、選択された距離標記と略同じ設置距離の位置にプロジェクター１が設置されると、画像サイズは、選択された距離標記に対応するサイズ標記と同等の画像サイズとなる。例えば、図５に示すように、プロジェクター１が設置距離３ｍの位置に設置されると、投写画像Ｖ1は、距離標記「３」に対応するサイズ標記「８０」と同等の８０インチとなる。また、プロジェクター１が設置距離４ｍの位置に設置されると、投写画像Ｖ2は、距離標記「４」に対応するサイズ標記「９０」と同等の９０インチとなる。
【００７０】
このように、プロジェクター１は、第１状態において、所望の画像サイズを得るための設置距離の明示や、所望の設置距離を得るための画像サイズの明示が可能になっている。
【００７１】
次に、第２状態について説明する。
設置補助装置６は、第２状態において、距離標記が選択された状態を維持し、サイズリング６１が移動操作されると、ズーム状態が変更されるようになっている。
図６は、第２状態におけるプロジェクター１の模式図である。具体的に、図６（ａ）は、設置補助装置６近傍を＋Ｘ方向から見た断面図、図６（ｂ）は、設置補助装置６近傍を上方から見た図、図６（ｃ）は、スクリーンＳＣに投写する状態を示す図である。
【００７２】
伝達機構７は、第１状態から操作部７１１が後方に移動されると、図６（ａ）、（ｂ）に示すように操作部７１１が開口部２１４の後側に位置する第２状態となる。そして、伝達機構７は、第２状態において、サイズリング６１およびズームリング４２と係合状態となり、距離リング６２およびフォーカスリング５１と非係合状態となり、距離規制部７４が距離リング６２の移動を規制する状態となる。
【００７３】
具体的に、伝達機構７は、第２状態において、図６（ａ）に示すように、サイズ用歯車７２が係合部６１１，４２１と係合し、距離用歯車７３が係合部５１１，６２１，６２２と係合しない状態となり、距離規制部７４が係合部６２１と係合する。
【００７４】
そして、サイズリング６１が移動操作されると、選択されるサイズ標記が変更されると共に、その操作力は、サイズ用歯車７２によって、ズームリング４２に伝達され、ズーム状態が変更される。一方、距離リング６２は、係合部６２１が距離規制部７４と係合しているので回転が規制され、距離標記が選択された状態が維持される。
【００７５】
第２状態において、回転が規制された距離リング６２の選択された距離標記と略同じ設置距離にプロジェクター１が設置されると、画像サイズは、選択された距離標記に対応するサイズ標記と同等の画像サイズとなる。そして、サイズリング６１が移動操作されると、ズーム調整部４は、選択されたサイズ標記と同等の画像サイズに投写画像を変倍する。
【００７６】
例えば、距離標記が「３」、サイズ標記が「８０」に選択された場合、図６（ｃ）に示すように、プロジェクター１が設置距離３ｍの位置に設置されると、投写画像Ｖ1は、距離標記「３」に対応するサイズ標記「８０」と同等の８０インチとなる。
そして、サイズリング６１が右回転されると、サイズ用歯車７２が左回転、ズームリング４２が右回転し、投写レンズ３６は、投写する光を拡大するようにズーム状態が変更される。そして、サイズ標記が「９０」に選択されるまでサイズリング６１が回転されると、投写画像Ｖ3は、サイズ標記が「９０」と同等の９０インチに拡大される。
【００７７】
詳細な説明は省略するが、サイズリング６１が左回転されると、ズームリング４２が左回転し、ズーム調整部４は、投写する光を縮小するようにズーム状態が変更される。そして、投写画像は、距離標記に対応するサイズ標記の画像サイズに縮小される。
このように、プロジェクター１は、第２状態において、選択された距離標記と略同じ設置距離の位置に設置されることで、明示されるサイズ標記と同等の画像サイズとなるように光を投写する。
【００７８】
次に、第３状態について説明する。
設置補助装置６は、第３状態において、サイズ標記が選択された状態を維持し、距離リング６２が移動操作されると、ズーム状態およびフォーカス状態が変更されるようになっている。
図７は、第３状態におけるプロジェクター１の模式図である。具体的に、図７（ａ）は、設置補助装置６近傍を＋Ｘ方向から見た断面図、図７（ｂ）は、設置補助装置６近傍を上方から見た図、図７（ｃ）は、スクリーンＳＣに投写する状態を示す図である。
【００７９】
伝達機構７は、第１状態から操作部７１１が前方に移動されると、図７（ａ）、（ｂ）に示すように操作部７１１が開口部２１４の前側に位置する第３状態となる。そして、伝達機構７は、第３状態において、距離リング６２、フォーカスリング５１およびズームリング４２と係合状態となり、サイズリング６１と非係合状態となり、サイズ規制部７５がサイズリング６１の移動を規制する状態となる。
【００８０】
具体的に、伝達機構７は、第３状態において、図７（ａ）に示すように、サイズ用歯車７２が中間歯車７６を介して係合部４２３と係合し、距離用歯車７３が係合部５１１，６２１と係合する状態となり、サイズ規制部７５が係合部６１１と係合する。
【００８１】
そして、距離リング６２が移動操作されると、選択される距離標記が変更されると共に、その操作力は、伝達本体部７０によって、フォーカスリング５１および中間歯車７６に伝達される。投写レンズ３６は、操作力が伝達されたフォーカスリング５１が回転することによってフォーカス状態が変更され、中間歯車７６を介して操作力が伝達されたズームリング４２が回転することによってズーム状態が変更される。一方、サイズリング６１は、係合部６１１がサイズ規制部７５と係合しているので回転が規制され、サイズ標記が選択された状態が維持される。
【００８２】
第３状態において、選択されたサイズ標記に対応する距離標記と略同じ設置距離の位置にプロジェクター１が設置されると、画像サイズは、選択されたサイズ標記と同等の画像サイズとなる。そして、距離リング６２が移動操作されると、投写レンズ３６は、ズーム状態およびフォーカス状態を変更し、選択されたサイズ標記に対応する距離標記と略同じ設置距離の位置に設置されることで、画像サイズを変えずに投写する。
【００８３】
例えば、サイズ標記が「８０」に選択された第３状態において、プロジェクター１が設置距離３ｍの位置に設置され、距離標記が「３」に選択されると、図７（ｃ）に示すように、投写画像Ｖ1は、距離標記「３」に対応するサイズ標記「８０」と同等の８０インチとなる。
【００８４】
そして、距離リング６２が右回転されると、伝達本体部７０は、左回転する。伝達本体部７０が左回転することによって距離用歯車７３と係合しているフォーカスリング５１が右回転し、フォーカス調整部５は、フォーカス状態が変更される。一方、伝達本体部７０が左回転することによって、中間歯車７６を介してサイズ用歯車７２と係合しているズームリング４２が左回転し、ズーム調整部４は、投写する光を縮小するようにズーム状態が変更される。
【００８５】
そして、図７（ｂ）に示すように、距離標記が「４」に選択されるまで距離リング６２が回転されると、投写レンズ３６は、設置距離が４ｍ、画像サイズが８０インチとなるようにズーム状態およびフォーカス状態を変更する。そして、プロジェクター１が設置距離４ｍの位置に設置されると、図７（ｃ）に示すように、投写画像は、サイズ標記が「８０」と同等の８０インチである投写画像Ｖ1に略維持される。
【００８６】
このように、プロジェクター１は、第３状態において、選択されたサイズ標記を維持し、標記された設置距離の位置に設置されることで、画像サイズを変えず投写する。
【００８７】
以上説明したように、本実施形態のプロジェクター１によれば、以下の効果を得ることができる。
（１）設置距離およびその設置距離に対応する画像サイズの表示を対応させて表示できるので、プロジェクター１が投写していない場合であっても、設置距離に対応する画像サイズをプロジェクター１の使用者に明示することが可能となる。また、画像サイズおよび設置距離を表示させる移動操作で、ズーム調整部４を所望のズーム状態にしたり、フォーカス調整部５を所望のフォーカス状態に変更したりすることが可能となる。
したがって、プロジェクター１を設置する際や、所望の画像サイズの投写画像を得る際の利便性の向上が図れる。
【００８８】
（２）伝達機構７は、サイズ用歯車７２および距離用歯車７３を備え、サイズリング６１、ズーム調整部４、距離リング６２およびフォーカス調整部５に対して係合状態と非係合状態とが切替え可能になっている。また、サイズ用歯車７２および距離用歯車７３は、接続して形成されている。これによって、サイズリング６１や距離リング６２の移動操作の操作力をズーム調整部４やフォーカス調整部５に伝達する状態と伝達しない状態とに切替えることが可能になると共に、一度にこれらの係合状態、非係合状態を切替えることができる。よって、プロジェクター１を設置する位置や画像サイズを変更する際の操作性の向上が図れる。
【００８９】
（３）伝達機構７は、第１状態を有し、所望の画像サイズの投写画像を得るためのプロジェクター１の設置位置や、プロジェクター１の設置位置における画像サイズが容易に明確になるので、プロジェクター１を設置する際や画像サイズを変更する際の利便性の向上が図れる。
【００９０】
（４）伝達機構７は、第２状態を有しているので、プロジェクター１は、選択された距離標記の位置に設置され、サイズリング６１が移動操作されることで、所望の画像サイズの投写が可能となる。
【００９１】
（５）伝達機構７は、第３状態を有しているので、選択されたサイズ標記に対応する設置距離が明確になる。また、画像サイズを変えずにプロジェクター１の位置を変更したい際には、距離リング６２を操作し、外面６２Ａを観察することでプロジェクター１の設置位置の目安が容易に可能となる。また、距離リング６２が操作されると、フォーカス状態も変更されるので、プロジェクター１の移動に伴うフォーカス調整が可能となり、利便性の向上が図れる。
【００９２】
（変形例）
なお、前記実施形態は、以下のように変更してもよい。
前記実施形態のサイズリング６１および距離リング６２は、移動操作によって回転するように構成されているが、スライド移動するように構成されてもよい。
【００９３】
前記実施形態のプロジェクター１は、光変調装置として透過型の液晶パネルを用いているが、反射型の液晶パネルを利用したものであってもよい。また、光変調装置は、マイクロミラーアレイを用いたデバイス等を使用したものであってもよい。
【００９４】
前記実施形態の光源装置３１は、放電型の光源３１１を採用しているが、レーザーダイオード、ＬＥＤ（Light Emitting Diode）、有機ＥＬ（Electro Luminescence）素子、シリコン発光素子などの各種固体発光素子で構成してもよい。
【符号の説明】
【００９５】
１…プロジェクター、２…外装筐体、３…光学ユニット、４…ズーム調整部、５…フォーカス調整部、６…設置補助装置、７…伝達機構、３１…光源装置、３６…投写レンズ、４１…カム筒、４２…ズームリング、５１…フォーカスリング、６１…サイズリング、６１Ａ，６２Ａ…外面、６１Ｂ，６２Ｂ…内面、６２…距離リング、７０…伝達本体部、７１…操作レバー、７２…サイズ用歯車、７３…距離用歯車、７４…距離規制部、７５…サイズ規制部、７６…中間歯車、２１５…サイズ選択マーク、２１６…距離選択マーク、２１７…状態選択マーク、３１１…光源、４２１，４２３，５１１，６１１，６１２，６２１，６２２…係合部、７１１…操作部。
【図１】
2011209402.tif 000003
【図２】
2011209402.tif 000004
【図３】
2011209402.tif 000005
【図４】
2011209402.tif 000006
【図５】
2011209402.tif 000007
【図６】
2011209402.tif 000008
【図７】
2011209402.tif 000009